(57)【要約】【課題】コネクタを構成する樹脂本体部に、金属端子や金具部材等の金属部材を十分強固に固定するとともに、その製造コストを有効に低減することのできるコネクタの製造方法およびコネクタを提供する。【解決手段】この発明のコネクタの製造方法では、複数個の端子部分３からなる複数組の端子列５を設けた端子付き金属ストリップ１を形成し、複数個の金具部分１４を長手方向に互いに間隔をおいて設けた金具付き金属ストリップ１１を形成し、次いで、前記端子付き金属ストリップ１と前記金具付き金属ストリップ１１とを重ね合せた状態で、端子付き金属ストリップ１の端子列５および、金具付き金属ストリップ１１の金具部分１４の周囲に樹脂材料２１を供給して、該樹脂材料２１で端子列５と金具部分１４とを一体化させるインサート成形を行い、しかる後、前記樹脂材料２１により端子列５に一体化された金具部分１４を、金具付き金属ストリップ１１のそれぞれから切り離す。【選択図】図４
2016031819.tif 000002
【特許請求の範囲】
【請求項１】
樹脂本体部と、複数個の金属端子と、金具部材とを具え、前記金属端子および前記金具部材が、前記樹脂本体部と一体化して該樹脂本体部に固定されるコネクタを製造する方法であって、
複数個の端子部分からなる複数組の端子列を設けた端子付き金属ストリップを形成し、複数個の金具部分を長手方向に互いに間隔をおいて設けた金具付き金属ストリップを形成し、次いで、前記端子付き金属ストリップと前記金具付き金属ストリップとを重ね合せた状態で、端子付き金属ストリップの端子列および、金具付き金属ストリップの金具部分の周囲に樹脂材料を供給して、該樹脂材料と端子列と金具部分とを一体化させるインサート成形を行い、しかる後、前記樹脂材料と一体化された金具部分を、金具付き金属ストリップから切り離す、コネクタの製造方法。
【請求項２】
前記端子付き金属ストリップを形成するに当り、長手方向に並列する複数個の端子部分からなる複数組の端子列を、長手方向に相互に間隔をおいて設け、
前記金具付き金属ストリップを形成するに当り、長手方向に延びるストリップ部分と、該ストリップ部分の側縁部から突出する複数本の支持ロッドと、各支持ロッドに設けた前記金具部分と、端子付き金属ストリップに重ね合せた際に、長手方向に隣り合う前記端子列の間に配置される二本の前記支持ロッドの先端部を互いに連結するジョイント部とを有する金具付き金属ストリップを形成する、請求項１に記載のコネクタの製造方法。
【請求項３】
前記インサート成形に先立ち、互いに重ね合せた端子付き金属ストリップと金具付き金属ストリップとの相互の位置合わせを、端子付き金属ストリップおよび金具付き金属ストリップのそれぞれに設けたガイドホールへのピンの挿入により行う、請求項１又は２に記載のコネクタの製造方法。
【請求項４】
樹脂本体部と、該樹脂本体部と一体化して該樹脂本体部に固定される接合部を有する複数個の金属部材とを具え、複数個の金属部材のそれぞれの前記接合部が、その外面を樹脂本体部の表面に露出させて埋め込まれてなるコネクタであって、
全ての金属部材で、前記接合部が、樹脂本体部の内部に埋め込まれた埋設箇所を有し、該埋設箇所の全体が、樹脂本体部と密着してなるコネクタ。
【請求項５】
全ての金属部材で、前記接合部の前記外面が、その金属部材の該接合部と一体化した樹脂本体部の表面と同一平面上に位置してなる、請求項４に記載のコネクタ。
【請求項６】
前記金属部材が、樹脂本体部と一体化して該樹脂本体部に固定される端子接合部および、該樹脂本体部から突出して延びる端子突出部を有する複数個の金属端子と、前記樹脂本体部と一体化して該樹脂本体部に固定される金具接合部からなる金具部材とで構成されてなる、請求項４又は５に記載のコネクタ。
【請求項７】
樹脂本体部が長方形状の平面輪郭形状を有し、該樹脂本体部の両側部のそれぞれに、複数個の前記金属端子を、前記端子突出部が側方に延びる向きで並列させて配置するとともに、該樹脂本体部の両端部のそれぞれに、前記金具部材を配置した基板対基板接続用コネクタとしてなる、請求項６に記載のコネクタ。
【発明の詳細な説明】
【技術分野】
【０００１】
この発明は、樹脂本体部と、金属端子および金具部材等の金属部材とを具えるコネクタの製造方法およびコネクタに関するものであり、特には、コネクタを構成する樹脂本体部への金属部材の接合を十分強固なものとするとともに、その製造に要するコストを有効に低減することのできる技術を提案するものである。
【背景技術】
【０００２】
近年は、電気・電子機器の小型化に対する要求が高まるに従って、それらに搭載される部品である基板対基板接続用コネクタ、いわゆるボード・ツー・ボード（ＢｔｏＢ）コネクタもまた、たとえば端子間のピッチを１ｍｍ以下とする十分に小型なものであることが求められている。
【０００３】
このような状況の下、この種のコネクタは一般に、図９（ａ）および（ｂ）に示すように、射出成形等により、所定の箇所に端子挿入孔４２ａを設けた樹脂本体部４２を形成した後、金属部材としての金属端子４３のそれぞれを、樹脂本体部４２の対応する端子挿入孔４２ａに打ち込んで嵌め合わせることによって製造される。
【０００４】
かかる方法で製造したコネクタ４１では、樹脂本体部４２の成形後に、金属端子４３を打ち込むことにより、図９（ｂ）に示すように、打込みによって樹脂本体部４２に埋め込まれた金属端子４３と、樹脂本体部４２の、金属端子４３が埋め込まれた部分との間に隙間Ｃが生じる結果として接触面積が小さくなり、それにより、金属端子４３が樹脂本体部４２に十分に密着せずに外れやすくなる。
【０００５】
またこの場合、極めて小さいコネクタ４１では、それぞれの金属端子４３を、樹脂本体部４２の所期した箇所に打ち込むことが困難になる他、多数本の金属端子４３の打込みが、製造工数を増大させて、量産時の製造能率の低下をもたらす。
【０００６】
このような製造能率の低下の問題に対しては、図１０〜１４に示す製造方法が考えられている。
図１０〜１４に示す製造方法によれば、はじめに、順送金型を用いたプレス成形等により、間欠的に送給させた長尺帯状の金属板に対し、所要の打抜き加工を順次に行い、図１０（ａ）および（ｂ）に示すような端子付き金属ストリップ５１を形成する。
この端子付き金属ストリップ５１では、その幅方向中央域に、それぞれの側部５２ａ、５２ｂから、幅方向内側に向けて延びる複数個の端子部分５３からなる端子列５４の複数組を、長手方向に間隔をおいて設けている。
【０００７】
次いで、上記の端子付き金属ストリップ５１を、図示しない成形金型内に送給し、端子列５４ごとに、端子部分５３に向けて樹脂材料５５を注入することにより、図１１に示すように、樹脂材料５５で、各端子列５４を構成する複数個の端子部分５３の全ての先端部を覆って、樹脂材料５５と端子列５４の複数個の端子部分５３とを一体化させるインサート成形を行う。
【０００８】
一方、上述した端子付き金属ストリップ５１とは別個に、図１２に示すような長尺帯状の金具付き金属ストリップ６１を、同様の打抜き加工等によって形成する。この金具付き金属ストリップ６１は、長手方向に延びるストリップ部分６２の一方の側縁部に、複数個の金具部分６３を、その幅方向外側に突出する姿勢で、互いに一定の間隔をおいて設けたものである。
そしてここでは、図１３に示すように、金具付き金属ストリップ６１のストリップ部分６２から、各金具部分６３を切断して分離させる。
【０００９】
このようにして端子付き金属ストリップ５１と金具部分６３を形成した後、端子付き金属ストリップ５１の各樹脂材料５５の所定箇所に、各金具部分６３を順次に機械的に打ち込んでいき、図１４に示すように、各金具部分６３を樹脂材料５５に取り付ける。
なおその後は、図示は省略するが、端子付き金属ストリップ５１から、端子部分５３を含む端子列５４のそれぞれを切り離し、樹脂本体部に金属端子および金具部材が固定されたコネクタを量産することができる。
【００１０】
図１０〜１４に示す方法により製造されるコネクタを、金具部材の取り付け前後の各状態で、図１５および図１６のそれぞれに示す。このコネクタ７１は、平面視で略長方形状をなす樹脂本体部７２と、その樹脂本体部７２の両側部のそれぞれに並べて埋設配置された複数個の金属端子７３と、樹脂本体部７２の両端部のそれぞれに打ち込まれて埋設された金具部材７４とを具える。
ここで、金型部材７４の固定に当っては、上記のインサート成形で金属端子７３が一体化された樹脂本体部７２の両端部に、図１５に示すように、金具用凹部７５を予め設けておく。そして、インサート成形の後、樹脂本体部７２の金具用凹部７５に、金具部分６３としての金具部材７４を打ち込んで圧入し、図１６に示すように、樹脂本体部７２に金具部材７４を取り付ける。
【発明の概要】
【発明が解決しようとする課題】
【００１１】
しかるに、図１０〜１４に示すコネクタの製造方法では、端子付き金属ストリップ５１の端子列５４を樹脂材料５５で覆うインサート成形を行った後に、その樹脂材料５５に、金具部分６３を機械的に打ち込むことによって、金具部分６３を樹脂材料５５に取り付けていることから、図１７にコネクタ７１の金具部材７４を拡大して示すように、樹脂本体部７２に部分的に埋め込まれる金具部材７４の埋設箇所と、樹脂本体部７２との間に、ある程度の隙間Ｃが形成されることが否めず、それにより、金具部材７４と樹脂本体部７２との接触面積の低下、ひいては、樹脂本体部７２による金具部材７４の保持力の低下を余儀なくされる。
【００１２】
特に、近年ますます小型化の進むコネクタにあっては、上記の機械的な打込みによって製造されたコネクタでの、樹脂本体部７２による金具部材７４の保持力はより小さいものとなることから、金具部材７４が樹脂本体部７２に十分に固定されず、甚だしくは、コネクタ７１への外力の作用に起因して、金具部材７４が樹脂本体部７２から外れることもある。
それ故に、コネクタの小型化に伴い、量産される全てのコネクタで所要の信頼性を確保し得なくなって、材料歩留りが低下するので、製造コストが大きく嵩むという問題があった。
【００１３】
しかも、この方法では、端子列５４を樹脂材料５５で覆うインサート成形の後に、その別工程として、樹脂材料５５への金具部分６３の打込みを行うことから、製造工数が増大し、それによる製造コストの増加も招く。
【００１４】
この発明は、上述したような問題を解決することを課題とするものであり、それの目的とするところは、コネクタ製造時に、樹脂材料への金具部分の打込み工程を不要とし、コネクタを構成する樹脂本体部に、金属端子や金具部材等の金属部材を十分強固に固定するとともに、その製造コストを有効に低減することのできるコネクタの製造方法およびコネクタを提供することにある。
【課題を解決するための手段】
【００１５】
この発明のコネクタの製造方法は、樹脂本体部と、複数個の金属端子と、金具部材とを具え、前記金属端子および前記金具部材が、前記樹脂本体部と一体化して該樹脂本体部に固定されるコネクタを製造する方法であって、複数個の端子部分からなる複数組の端子列を設けた端子付き金属ストリップを形成し、複数個の金具部分を長手方向に互いに間隔をおいて設けた金具付き金属ストリップを形成し、次いで、前記端子付き金属ストリップと前記金具付き金属ストリップとを重ね合せた状態で、端子付き金属ストリップの端子列および、金具付き金属ストリップの金具部分の周囲に樹脂材料を供給して、該樹脂材料と端子列および金具部分とを一体化させるインサート成形を行い、しかる後、前記樹脂材料と一体化された金具部分を、金具付き金属ストリップから切り離すことにある。
【００１６】
この製造方法では、前記端子付き金属ストリップを形成するに当り、長手方向に並列する複数個の端子部分からなる複数組の端子列を、長手方向に相互に間隔をおいて設けることとし、また、前記金具付き金属ストリップを形成するに当り、長手方向に延びるストリップ部分と、該ストリップ部分の側縁部から突出する複数本の支持ロッドと、各支持ロッドに設けた前記金具部分と、端子付き金属ストリップに重ね合せた際に、長手方向に隣り合う前記端子列の間に配置される二本の前記支持ロッドの先端部を互いに連結するジョイント部とを有する金具付き金属ストリップを形成することが好ましい。
【００１７】
なおここで、前記インサート成形に先立ち、互いに重ね合せた端子付き金属ストリップと金具付き金属ストリップとの相互の位置合わせは、端子付き金属ストリップおよび金具付き金属ストリップのそれぞれに設けたガイドホールへのピンの挿入により行うことが好ましい。
【００１８】
またこの発明のコネクタは、樹脂本体部と、該樹脂本体部と一体化して該樹脂本体部に固定される接合部を有する複数個の金属部材とを具え、複数個の金属部材のそれぞれの前記接合部が、その外面を樹脂本体部の表面に露出させて埋め込まれてなるものであって、全ての金属部材で、前記接合部が、樹脂本体部の内部に埋め込まれた埋設箇所を有し、該埋設箇所の全体が、樹脂本体部に、隙間なく密着してなるものである。
この発明のコネクタでは、全ての金属部材で、前記接合部の前記外面が、その金属部材の該接合部と一体化した樹脂本体部の表面と同一平面上に位置することが好ましい。
【００１９】
この発明のコネクタは具体的には、前記金属部材が、樹脂本体部と一体化して該樹脂本体部に固定される端子接合部および、該樹脂本体部から突出して延びる端子突出部を有する複数個の金属端子と、前記樹脂本体部と同様に一体化して該樹脂本体部に固定される金具接合部からなる金具部材とで構成されてなるものとすることができる。
そしてこの場合、樹脂本体部が長方形状の平面輪郭形状を有し、該樹脂本体部の両側部のそれぞれに、複数個の前記金属端子を、前記端子突出部が側方に延びる向きで並列させて配置するとともに、該樹脂本体部の両端部のそれぞれに、前記金具部材を配置した基板対基板接続用コネクタとすることが好ましい。
【発明の効果】
【００２０】
この発明のコネクタの製造方法によれば、端子付き金属ストリップと金具付き金属ストリップとを重ね合せた状態で、樹脂材料によって端子列と金具部分とを一体化させるインサート成形を行うことにより、端子列のみならず金具部分もまた樹脂材料と一体化して樹脂材料に強固に固定されるので、コネクタの小型化によっても、高い信頼性の製品を製造することができて、歩留りの低下を防止することができる。
その結果として、インサート成形後の先述の打込み工程が不要となることによる製造工数の削減も相俟って、製造コストを有効に低減することができる。
【００２１】
またこの発明のコネクタによれば、コネクタを構成する金属端子および金具部材を含む全ての金属部材の接合部の埋設箇所が全体にわたって、樹脂本体部と一体化、密着していることにより、接触面積が十分に確保されることから、金属部材を樹脂本体部に強固に固定することができる。
【図面の簡単な説明】
【００２２】
【図１】この発明の一の実施形態の工程について示す、端子付き金属ストリップの平面図および、そのｂ１―ｂ１線に沿う断面図である。
【図２】この発明の一の実施形態の工程について示す、金具付き金属ストリップの平面図および、そのｂ２―ｂ２線に沿う断面図である。
【図３】図１および図２に続く工程を示す、端子付き金属ストリップおよび金具付き金属ストリップの平面図ならびに、そのｂ３―ｂ３線に沿う断面図である。
【図４】図３に続く工程を示す、端子付き金属ストリップおよび金具付き金属ストリップの平面図ならびに、そのｂ４―ｂ４線に沿う断面図である。
【図５】図４に続く工程を示す、端子付き金属ストリップの平面図ならびに、そのｂ５―ｂ５線に沿う断面図である。
【図６】この発明の一の実施形態の製造方法により製造されるコネクタを示す部分斜視図である。
【図７】図６のＶＩＩ―ＶＩＩ線に沿う断面図である。
【図８】図６に示すコネクタの平面図、背面図および側面図である。
【図９】従来のコネクタの製造方法について示す、コネクタの部分斜視図である。
【図１０】従来のコネクタの他の製造方法の工程について示す、端子付き金属ストリップの平面図および、そのｂ１０―ｂ１０線に沿う断面図である。
【図１１】図９に続く工程を示す、端子付き金属ストリップの平面図および、そのｂ１１―ｂ１１線に沿う断面図である。
【図１２】従来のコネクタの製造方法の工程について示す、金具付き金属ストリップの平面図である。
【図１３】図１２に続く工程を示す、金具部分の平面図である。
【図１４】図１１および図１３に続く工程を示す、端子付き金属ストリップの平面図および、そのｂ１４―ｂ１４線に沿う断面図である。
【図１５】図１０〜１４の方法により製造されるコネクタを、金具部材の取付け前の状態で示す部分斜視図である。
【図１６】図１０〜１４の方法により製造されるコネクタを、金具部材の取付け後の状態で示す部分斜視図である。
【図１７】図１６のコネクタの金具部材を拡大して示す部分斜視図である。
【発明を実施するための形態】
【００２３】
以下に図面に示すところに基き、この発明の実施の形態について説明する。
図１〜５に、この発明のコネクタの製造方法の一の実施形態を工程ごとに示す。
図示の実施形態の方法を実施するに当っては、はじめに、図１に示すような端子付き金属ストリップ１を形成する。このような金属ストリップ１を形成するには、長尺帯状の金属板を一方向に向けて間欠的に送給した状態で、その金属板に対し、プレス加工、切断加工、曲げ加工、絞り加工、穴あけ加工、部材間の連結処理、及び／又は、めっき処理その他の所要の複数の処理を順次に行うことのできる順送金型を用いることができる。なお、金属ストリップ１は、たとえば、リン青銅、コルソン合金といった銅合金からなるものとすることができる。
【００２４】
ここで、端子付き金属ストリップ１は、図１（ａ）の左右方向に延びる長尺帯状をなすものであって、端子付き金属ストリップ１の幅方向（図１（ａ）の上下方向）の外側に位置する両側部２ａ、２ｂのそれぞれに、幅方向内側に向けて延びる複数個の端子部分３を、互いに間隔をおいて、長手方向に並列して設けたものである。
そしてここでは、所定個数の端子部分３と、それに隣り合う所定個数の端子部分３とを、穴部４を介して間隔をおいて設け、これらの一まとまりの所定個数の端子部分３を端子列５とする。
【００２５】
なおこの実施形態では、端子付き金属ストリップ１に設けた各端子部分３は、上記の各側部２ａ、２ｂの内側縁から、幅方向内側に向けて延び、図１（ｂ）に示すところから解かるように、端子付き金属ストリップ１の表面に直交する向きに折れ曲がるとともに、略「Ｕ」字状に湾曲して前記表面に向けて幾分延びて終端する形状をなす。
【００２６】
この一方で、上記の端子付き金属ストリップ１の形成と同時並行して、又は、端子付き金属ストリップ１の形成に先立って、もしくは、その形成後に、たとえば、端子付き金属ストリップ１とは別個のラインで、図２に示すような金具付き金属ストリップ１１を形成する。この金具付き金属ストリップ１１もまた、端子付き金属ストリップ１と同様に、上述したような順送金型を用いて形成することができ、めっき処理等を施したものとすることができる。金具付き金属ストリップ１１は、たとえば、リン青銅、コルソン合金といった銅合金からなるものとすることができる。
【００２７】
図２に示すところでは、金具付き金属ストリップ１１は、図２（ａ）の左右方向に対応する長手方向に延びるストリップ部分１２と、そのストリップ部分１２の側縁部から側方に向けて突出して延びる棒形状を有し、互いに間隔をおいて設けた複数本の支持ロッド１３ａ、１３ｂと、それらの支持ロッド１３ａ、１３ｂのそれぞれの延在途中に配置した複数個の金具部分１４と、隣り合う二本の支持ロッド１３ａ、１３ｂのそれぞれの先端部を互いに連結するジョイント部１５とを有するものである。
但し、金属付き金属ストリップ１１は、複数個の金具部分１４が長手方向に所要の間隔で配置されたものであれば、後述するような、端子付き金属ストリップ１とのインサート成形に用いることができるので、図示の形態に限定されるものではない。
【００２８】
以上のような端子付き金属ストリップ１および金具付き金属ストリップ１１を形成した後は、図３に示すように、それらの端子付き金属ストリップ１と金具付き金属ストリップ１１とを上下に重ね合せる。なおここで、端子付き金属ストリップ１と金具付き金属ストリップ１１との上下の位置関係は特に問わないが、たとえば、この実施形態では、互いに重ね合せた端子付き金属ストリップ１と金具付き金属ストリップ１１に対し、その後の工程を安定して行うため、金具付き金属ストリップ１１を、それよりも幅の広い端子付き金属ストリップ１の上側に配置している。
【００２９】
このとき、この実施形態では、金具付き金属ストリップ１１の、ジョイント部１５で連結した二本の支持ロッド１３ａ、１３ｂのそれぞれに配置した金具部分１４を、端子付き金属ストリップ１の幅方向中央域で、端子付き金属ストリップ１の端子列５間の穴部４に位置させる。
なお、ここでの位置合わせは、端子付き金属ストリップ１の側部２ａないし２ｂ、および、金具付き金属ストリップ１１のストリップ部分１２のそれぞれに設けているプレス時のガイドホール６、１６の両方に、図示しないピンを挿入することにより、高い精度で行うことが可能である。
【００３０】
そしてその後、互いに重ね合せた端子付き金属ストリップ１および金具付き金属ストリップ１１を、図示しないインサート成形用金型に送り、そこで、端子付き金属ストリップ１の端子列５および、金具付き金属ストリップ１１の金具部分１４の周囲に向けて樹脂材料２１を供給して、インサート成形を行い、それにより、図４に示すように、樹脂材料２１によって、端子列５を構成する複数個の端子部分３の先端部と金具部分１４を覆って、それらを樹脂材料２１で固定する。なおこの樹脂材料２１は、たとえば、液晶ポリマー（ＬＣＤ）等とすることができる。ここで、樹脂材料２１の温度低下等に起因する硬化により、樹脂材料２１と、複数個の端子部分３および金具部分１４とが一体化して、それらの相互が十分に密着することになる。
【００３１】
この実施形態では、先述したように、金具付き金属ストリップ１１の金具部分１４を配置した二本の支持ロッド１３ａおよび１３ｂの先端部を、ジョイント部１５によって互いに連結したことにより、たとえば、インサート成形時に金具部分１４に接触して流動する樹脂材料２１等による、金具部分１４への外力の作用によっても、金具部分１４を配置した支持ロッド１３ａ、１３ｂの変形、ひいては、その変形による金具部分１４の位置ずれを有効に抑制することができる。
その結果として、金具部分１４を、樹脂材料２１の所期したとおりの位置に固定することができて、製品の信頼性の更なる向上に寄与することができるとともに、材料歩留りをより一層向上させることができる。
【００３２】
しかる後は、樹脂材料２１と一体化した金具部分１４を、図５に示すように、金具付き金属ストリップ１１、より詳細には支持ロッド１３ａ、１３ｂから切り離して、残部を除去する。
この後、図示は省略するが、必要に応じて各種工程を経て、樹脂材料２１と端子列５と金具部分１４を、端子付き金属ストリップ１から取り出し、コネクタを製造することができる。
【００３３】
以上に述べた製造方法により製造することのできるコネクタの一例を、図６に部分斜視図で例示する。図６に示すコネクタ３１は、樹脂本体部３２と、その樹脂本体部３２に固定される接合部３３ａ、３３ｂを有する複数個の金属部材３４ａ、３４ｂとを具えるものである。
図示のコネクタ３１では、これらの金属部材３４ａ、３４ｂは、樹脂本体部３２に一体化固定される略「Ｕ」字状の端子接合部３３ａおよび、その端子接合部３３ａに連続して樹脂本体部３２から突出して側方に延びる端子突出部３５を有する平板状の金属端子３４ａと、樹脂本体部３２に一体化固定される金具接合部３３ｂからなる略「Ｕ」字状の金具部材３４ｂとで構成されている。
【００３４】
このコネクタ３１は、上述したような、端子部分と金具部分とを樹脂材料で一体化させるインサート成形により製造されたことにより、金属端子３４ａおよび金具部材３４ｂを含む金属部材３４ａ、３４ｂはいずれも、それぞれの接合部３３ａ、３３ｂで外面Ｓｍが樹脂本体部３２の表面Ｓｒに露出した状態で、樹脂本体部３２に埋め込まれて一体化固定されている。
【００３５】
より詳細には、それぞれの金属部材３４ａ、３４ｂは、図７に断面図で示すように、樹脂本体部３２の表面Ｓｒに露出する外面Ｓｍ以外の箇所で、樹脂本体部３２の表面Ｓｒよりも該樹脂本体部３２の内部に奥まって位置する埋設箇所ＥＰを有し、そして、全ての金属部材３４ａ、３４ｂ、すなわち、金属端子３４ａだけでなく金具部材３４ｂにおいても、かかる埋設箇所ＥＰが、その全体にわたって樹脂本体部３２に密着しているので、埋設箇所ＥＰと樹脂本体部３２との間には隙間が存在しない。図示のこのコネクタ３１では、金具部材３４ｂの、樹脂本体部３２に近接して対向する全ての埋設面の全体が樹脂本体部３２と密着している。
それにより、いずれの金属部材３４ａ、３４ｂも、その接合部３３ａ、３３ｂで、樹脂本体部３２に強固に保持されることになるので、極めて小型なコネクタ３１であっても、樹脂本体部３２からの金属部材３４ａ、３４ｂの意図しない分離が生じることがない。
【００３６】
また、先述した従来の打込み工程を経て製造されたコネクタでは、特に、打込み工程によって樹脂本体部に固定された金具部材が樹脂と密着していないため、金具部材の接合部の外面が、図示は省略するが、樹脂本体部の表面より隆起して、または奥まって位置することが多いことから、金具部材が樹脂本体部に十分強固に保持されなかった。
これに対し、図示のコネクタ３１のように、金属部材と樹脂本体部が一体成形された場合、金具部材３４ｂの外面Ｓｍが、図７に示すところから解かるように、それに隣接する樹脂本体部３２の表面Ｓｒと同一平面上に位置し、大きな密着面積が確保されて、樹脂本体部３２による金具部材３４ｂの保持がより一層確実なものとなる。なおここでは、金具部材３４ｂのみならず金属端子３４ａにおいても、その外面Ｓｍが、隣接する樹脂本体部３２の表面Ｓｒと同一平面上に位置しているので、金属端子３４ａもまた強固に固定されている。
【００３７】
なお、このコネクタ３１は、図８（ａ）〜（ｃ）のそれぞれに平面図、背面図および側面図のそれぞれで示すように、樹脂本体部３２が長方形状の平面輪郭形状を有し、その樹脂本体部３２の平面の中央部に、長方形状の凹部３６を設けたものとすることができる。
【００３８】
そしてここでは、その樹脂本体部３２の幅方向外側の両側部のそれぞれに、金属端子３４ａを、端子突出部３５が側方（幅方向外側）に延びる姿勢で複数個並べて配置する。なお、金属端子３４ａの端子接合部３３ａは、前記凹部３６の周囲を取り囲む壁部３７の一部を、その璧部３７の内面から外面にわたって抱え込んで配置されている。
また、樹脂本体部３２の長手方向外側の両端部のそれぞれには、上記の壁部３７の一部に埋め込まれた金具部材３４ｂが配置されている。
【００３９】
このようなコネクタ３１は、マイクロＵＳＢ、ＨＤＭＩ(登録商標)コネクタ、高速伝送用コネクタ、スイッチ、リレー等として用いることができるが、なかでも特に、基板と基板との接続に供されるボード・ツー・ボード（ＢｔｏＢ）コネクタとして用いることが有効である。
【００４０】
この種のコネクタでは通常、小型化が進むほど樹脂本体部による金属部材の保持力の低下を余儀なくされるので、この発明は、小型のコネクタに適用することが、そのような保持力低下を抑制するとの観点から有効である。
コネクタ３１の寸法としては、たとえば、樹脂本体部３２の全長が３ｍｍ〜２０ｍｍ、樹脂本体部３２の全幅が１ｍｍ〜５ｍｍ、及び／又は、樹脂本体部の全高が０．５ｍｍ〜２ｍｍとすることができる。
また、金属端子３４ａの隣り合う端子突出部３５間のピッチは、たとえば、０．３ｍｍ〜１．０ｍｍとすることができる。
【実施例】
【００４１】
次に、この発明に従ってコネクタを試作し、その性能を評価したので以下に説明する。
試作したコネクタはＢｔｏＢコネクタとした。
【００４２】
実施例コネクタは、図１〜５に示す製造方法により製造したものであり、図６に示すように、全ての金属部材で、それらの金属部材の接合部が埋設箇所の全体で、樹脂本体部と一体化して密着しているものとした。
また、比較例コネクタは、図１０〜１４に示す製造方法のように、樹脂材料により金属端子を一体化させたインサート成形の後、金具部分を樹脂材料に打ち込んで取り付けることにより製造したものであり、図１７に示すように、金具部材と樹脂本体部が密着せず、金具部材の埋設箇所と樹脂本体部との間に隙間が形成されたものとした。
【００４３】
上記の各コネクタにおいて、繰り返し挿抜した後の金具部材の保持力を測定したところ、実施例コネクタでは、挿抜を５０００回行った後の金具部材の保持力が６０Ｎであったのに対し、比較例コネクタでは、挿抜を２０００回行うと、金具が抜け落ち保持力の測定ができなかった。
また、それぞれのコネクタ表面の平坦性、すなわち、そり、ねじれ（金具部材の外面と樹脂本体部の表面との高低差）を測定したところ、実施例コネクタでは、金具部材を含むいずれの金属部材も、高低差が０．０１０ｍｍ以下であったのに対し、比較例コネクタでは、金具部材の高低差が０．０３０ｍｍ〜０．１５０ｍｍであった。
【００４４】
そしてまた、各コネクタを量産したところ、実施例コネクタは、材料歩留りが９８％となって良好な結果を示したが、比較例コネクタは、その９８％の基準を満たさず、歩留りが低かった。
【００４５】
以上の結果より、この発明によれば、コネクタの樹脂本体部に金属部材を十分強固に接合するとともに、その製造に要するコストを有効に低減できることが解かった。
【符号の説明】
【００４６】
１  端子付き金属ストリップ
２ａ、２ｂ  側部
３  端子部分
４  穴部
５  端子列
６ガイドホール
１１  金具付き金属ストリップ
１２  ストリップ部分
１３ａ、１３ｂ  支持ロッド
１４  金具部分
１５  ジョイント部
１６  ガイドホール
２１  樹脂材料
３１  コネクタ
３２  樹脂本体部
３３ａ  端子接合部（接合部）
３３ｂ  金具接合部（接合部）
３４ａ  金属端子（金属部材）
３４ｂ  金具部材（金属部材）
３５  端子突出部
３６  凹部
３７  壁部
Ｓｍ  金属部材の外面
Ｓｒ  樹脂本体部の表面
ＥＰ  埋設箇所
【図１】
2016031819.tif 000003
【図２】
2016031819.tif 000004
【図３】
2016031819.tif 000005
【図４】
2016031819.tif 000006
【図５】
2016031819.tif 000007
【図６】
2016031819.tif 000008
【図７】
2016031819.tif 000009
【図８】
2016031819.tif 000010
【図９】
2016031819.tif 000011
【図１０】
2016031819.tif 000012
【図１１】
2016031819.tif 000013
【図１２】
2016031819.tif 000014
【図１３】
2016031819.tif 000015
【図１４】
2016031819.tif 000016
【図１５】
2016031819.tif 000017
【図１６】
2016031819.tif 000018
【図１７】
2016031819.tif 000019